(57)【要約】【課題】破損し難い取付構造を簡易な構成で実現する。【解決手段】中間リング２には、半径方向に突出する係合爪部２４が設けられている。コンバージョンレンズ３には、取付位置において係合爪部２４と係合してコンバージョンレンズ３と中間リング２との光軸方向への相対的な移動を規制する第１係合壁５１が設けられている。第１係合壁５１の周方向両側には、係合爪部２４が第１係合壁５１を光軸方向に横切ることができる第４及び第１スペースＳ４，Ｓ１が設けられている。コンバージョンレンズ３及び中間リング２には、コンバージョンレンズ３と中間リング２との相対回転時のトルクを、取付位置の前後において大きく、取付位置において小さくなるように変動させるトルク変動部６２が設けられている。【選択図】図１９
2013217979.tif 000002
【特許請求の範囲】
【請求項１】
第１の部材と第２の部材とを所定の軸周りの周方向へ相対的に回転させて該第１の部材を該第２の部材に取り付ける取付構造であって、
前記第１及び第２の部材の一方に設けられ、前記軸を中心とする半径方向に突出する第１係合部と、
前記第１及び第２の部材の他方に設けられ、少なくとも前記周方向の所定の取付位置において前記第１係合部と係合して該第１の部材と該第２の部材との該軸方向への相対的な移動を規制する第２係合部とを備え、
前記第１及び第２の部材のうち前記第２係合部が設けられた部材において、該第２係合部の前記周方向両側には、前記第１係合部が該第２係合部を前記軸方向に横切ることができるスペースが設けられており、
前記第１及び第２の部材には、該第１の部材と該第２の部材との相対回転時のトルクを、前記周方向における前記取付位置の前後において大きく、該取付位置において小さくなるように変動させるトルク変動部が設けられている取付構造。
【請求項２】
前記第２の部材には、前記軸方向において前記第１の部材と反対側に、前記周方向の一方側に回転させることによって該第２の部材を第３の部材に取り付け、該周方向の他方側に回転させることによって該第２の部材を該第３の部材から取り外すための取付部が設けられている、請求項１に記載の取付構造。
【請求項３】
前記第１及び第２の部材には、前記第１の部材を前記周方向の他方側に回転させるときに該第１の部材の回転を規制する回り止め部が設けられている、請求項２に記載の取付構造。
【請求項４】
前記第１及び第２の部材のうち前記第２係合部が設けられた部材には、前記第１の部材の回転が前記回り止め部により規制された状態において、前記第１係合部と前記軸方向に並んで、該第１の部材と該第２の部材との該軸方向への相対的な移動を規制する第３係合部が設けられている、請求項３に記載の取付構造。
【請求項５】
前記第３の部材は、レンズ鏡筒である、請求項２に記載の取付構造。
【請求項６】
前記第１の部材は、光学部品又はレンズキャップである、請求項５に記載の取付構造。
【請求項７】
コンバージョンレンズと、中間リングとを備え、該コンバージョンレンズと該中間リングとを所定の軸周りの周方向へ相対的に回転させて該コンバージョンレンズを該中間リングに取り付けるレンズユニットであって、
前記コンバージョンレンズ及び中間リングの一方に設けられ、前記軸を中心とする半径方向に突出する第１係合部と、
前記コンバージョンレンズ及び中間リングの他方に設けられ、少なくとも前記周方向の所定の取付位置において前記第１係合部と係合して該コンバージョンレンズと該中間リングとの該軸方向への相対的な移動を規制する第２係合部とを備え、
前記コンバージョンレンズ及び中間リングのうち前記第２係合部が設けられた方において、該第２係合部の前記周方向両側には、前記第１係合部が該第２係合部を前記軸方向に横切ることができるスペースが設けられており、
前記コンバージョンレンズ及び中間リングには、該コンバージョンレンズと該中間リングとの相対回転時のトルクを、前記周方向における前記取付位置の前後において大きく、該取付位置において小さくなるように変動させるトルク変動部が設けられているレンズユニット。
【請求項８】
前記中間リングには、前記軸方向において前記コンバージョンレンズと反対側に、前記周方向の一方側に回転させることによって該中間リングをレンズ鏡筒に取り付け、該周方向の他方側に回転させることによって該中間リングを該レンズ鏡筒から取り外すための取付部が設けられている、請求項７に記載のレンズユニット。
【請求項９】
前記コンバージョンレンズ及び中間リングには、前記コンバージョンレンズを前記周方向の他方側に回転させるときに該コンバージョンレンズの回転を規制する回り止め部が設けられている、請求項９に記載のレンズユニット。
【請求項１０】
前記コンバージョンレンズ及び中間リングのうち前記第２係合部が設けられた方には、前記コンバージョンレンズの回転が前記回り止め部により規制された状態において、前記第１係合部と前記軸方向に並んで、該コンバージョンレンズと該中間リングとの該軸方向への相対的な移動を規制する第３係合部が設けられている、請求項９に記載のレンズユニット。
【発明の詳細な説明】
【技術分野】
【０００１】
ここに開示された技術は、第１の部材を第２の部材に取り付ける取付構造及びコンバージョンレンズと中間リングとを備えたレンズユニットに関するものである。
【背景技術】
【０００２】
従来より、第１の部材を第２の部材に取り付ける構造には様々なものが存在し、その中には、第１の部材と第２の部材とを所定の軸回りの周方向へ相対的に回転させることによって、第１の部材を第２の部材に取り付けるものがある。
【０００３】
例えば、特許文献１には、第１の部材としてのコンバージョンレンズを第２の部材としてのアダプタに取り付けるレンズユニットが開示されている。詳しくは、コンバージョンレンズの後端に雄ネジが形成される一方、アダプタの前端に雌ネジが形成されており、コンバージョンレンズとアダプタとを相対的に回転させて該雄ネジと雌ネジとを螺合させることによって、コンバージョンレンズをアダプタに取り付けている。
【先行技術文献】
【特許文献】
【０００４】
【特許文献１】特開２０００−２３５２２２号公報
【発明の概要】
【発明が解決しようとする課題】
【０００５】
ところが、第１の部材と第２の部材とをネジ締結により取り付ける構造においては、回転トルクが大き過ぎると、ネジを破損してしまうという虞がある。特許文献１に係る発明では、コンバージョンレンズは高価であるので、コンバージョンレンズのネジが破損することは回避すべきである。また、アダプタを第１の部材とし、レンズ鏡筒を第２の部材として捉えることもできる。その場合においても、レンズ鏡筒は高価であるので、レンズ鏡筒のネジが破損することは回避すべきである。
【０００６】
それを解消するために、第１の部材と第２の部材との間にトルクを制御可能な機構を介設することも考えられる。例えば、回転トルクが所定値以上となると、滑りが生じ、一方の回転トルクを他方へ伝達しないような機構を介設することが考えられる。しかしながら、このような機構を介設させると、部品点数が増加し、コストが増大し、さらには、サイズが大型化するという問題が生じる。
【０００７】
ここに開示された技術は、かかる点に鑑みてなされたものであり、その目的とするところは、破損し難い取付構造を簡易な構成で実現することにある。
【課題を解決するための手段】
【０００８】
ここに開示された技術は、第１の部材と第２の部材とを所定の軸周りの周方向へ相対的に回転させて該第１の部材を該第２の部材に取り付ける取付構造が対象である。この取付構造は、前記第１及び第２の部材の一方に設けられ、前記軸を中心とする半径方向に突出する第１係合部と、前記第１及び第２の部材の他方に設けられ、少なくとも前記周方向の所定の取付位置において前記第１係合部と係合して該第１の部材と該第２の部材との該軸方向への相対的な移動を規制する第２係合部とを備え、前記第１及び第２の部材のうち前記第２係合部が設けられた部材において、該第２係合部の前記周方向両側には、前記第１係合部が該第２係合部を前記軸方向に横切ることができるスペースが設けられており、前記第１及び第２の部材には、該第１の部材と該第２の部材との相対回転時のトルクを、前記周方向における前記取付位置の前後において大きく、該取付位置において小さくなるように変動させるトルク変動部が設けられているものとする。
【０００９】
また、ここに開示された技術は、コンバージョンレンズと、中間リングとを備え、該コンバージョンレンズと該中間リングとを所定の軸周りの周方向へ相対的に回転させて該コンバージョンレンズを該中間リングに取り付けるレンズユニットが対象である。このレンズユニットは、前記コンバージョンレンズ及び中間リングの一方に設けられ、前記軸を中心とする半径方向に突出する第１係合部と、前記コンバージョンレンズ及び中間リングの他方に設けられ、少なくとも前記周方向の所定の取付位置において前記第１係合部と係合して該コンバージョンレンズと該中間リングとの該軸方向への相対的な移動を規制する第２係合部とを備え、前記コンバージョンレンズ及び中間リングのうち前記第２係合部が設けられた方において、該第２係合部の前記周方向両側には、前記第１係合部が該第２係合部を前記軸方向に横切ることができるスペースが設けられており、前記コンバージョンレンズ及び中間リングには、該コンバージョンレンズと該中間リングとの相対回転時のトルクを、前記周方向における前記取付位置の前後において大きく、該取付位置において小さくなるように変動させるトルク変動部が設けられているものとする。
【発明の効果】
【００１０】
前記取付構造によれば、破損し難い取付構造を簡易な構成で実現することができる。
【００１１】
前記レンズユニットによれば、破損し難い取付構造を簡易な構成で実現することができる。
【図面の簡単な説明】
【００１２】
【図１】レンズ鏡筒及びコンバージョンレンズの斜視図である。
【図２】レンズ鏡筒の斜視図である。
【図３】中間リングの斜視図
【図４】中間リングの正面図
【図５】中間リングの側面図
【図６】中間リングの背面図
【図７】中間リングを取り付けたレンズ鏡筒の斜視図
【図８】コンバージョンレンズの分解斜視図
【図９】コンバージョンレンズの側面図
【図１０】レンズ枠４の側面図
【図１１】レンズ枠４の背面図
【図１２】斜め前方からの後枠の斜視図
【図１３】斜め前方の別の角度からの後枠の斜視図
【図１４】斜め後方からの後枠の斜視図
【図１５】斜め後方の別の角度からの後枠の斜視図
【図１６】コンバージョンレンズの背面図
【図１７】中間リングの係合爪部をコンバージョンレンズ内に進入させたときの状態を示す図であって、（Ａ）は、レンズ鏡筒、中間リング及びコンバージョンレンズの平面図を、（Ｂ）は、（Ａ）におけるＢ−Ｂ線における断面図を示す。
【図１８】取り付け時に回転トルクが最も大きくなったときの状態を示す図であって、（Ａ）は、レンズ鏡筒、中間リング及びコンバージョンレンズの平面図を、（Ｂ）は、（Ａ）におけるＢ−Ｂ線における断面図を、（Ｃ）は、（Ｂ）におけるＣ−Ｃ線における断面図を示す。
【図１９】係合爪部が取付位置に位置する状態を示す図であって、（Ａ）は、レンズ鏡筒、中間リング及びコンバージョンレンズの平面図を、（Ｂ）は、（Ａ）におけるＢ−Ｂ線における断面図を、（Ｃ）は、（Ｂ）におけるＣ−Ｃ線における断面図を示す。
【図２０】係合爪部が取付位置に位置する状態における係合爪部及び突出部の拡大図である。
【図２１】取り外し時に回転トルクが最も大きくなったときの状態を示す図であって、（Ａ）は、レンズ鏡筒、中間リング及びコンバージョンレンズの平面図を、（Ｂ）は、（Ａ）におけるＢ−Ｂ線における断面図を示す。
【図２２】中間リングの係合爪部をコンバージョンレンズから抜き取る直前の状態を示す図であって、（Ａ）は、レンズ鏡筒、中間リング及びコンバージョンレンズの平面図を、（Ｂ）は、（Ａ）におけるＢ−Ｂ線における断面図を示す。
【図２３】レンズキャップの斜視図
【図２４】別の角度から見た、レンズキャップの斜視図
【図２５】中間リングの係合爪部をレンズキャップ内に進入させたときの状態を示す図であって、（Ａ）は、図１７（Ｂ）に相当する断面図を、（Ｂ）は、（Ａ）におけるＢ−Ｂ線における断面図を示す。
【図２６】取り付け時に回転トルクが最も大きくなったときの状態を示す図であって、（Ａ）は、図１７（Ｂ）に相当する断面図を、（Ｂ）は、（Ａ）におけるＢ−Ｂ線における断面図を示す。
【図２７】係合爪部が取付位置に位置する状態を示す図であって、（Ａ）は、図１７（Ｂ）に相当する断面図を、（Ｂ）は、（Ａ）におけるＢ−Ｂ線における断面図を示す。
【発明を実施するための形態】
【００１３】
以下、実施形態を図面に基づいて詳細に説明する。
【００１４】
《発明の実施形態》
図１は、実施形態に係る取付構造が適用されたレンズ鏡筒１及びコンバージョンレンズ３の斜視図を示す。
【００１５】
［１．レンズ鏡筒］
レンズ鏡筒１には、中間リング２を介して、コンバージョンレンズ３が取り付けられている。中間リング２は、レンズ鏡筒１の前端部に取り付けられている。この中間リング２に、コンバージョンレンズ３が取り付けられている。本実施形態に係るコンバージョンレンズ３は、レンズの先端部に装着されるフロントコンバージョンレンズである。また、コンバージョンレンズ３は、より広角側での撮影を可能とするワイドコンバージョンレンズである。コンバージョンレンズ３は、第１の部材及び光学部品の一例であり、中間リング２は、第２の部材の一例である。中間リング２とコンバージョンレンズ３とは、レンズユニットの一例である。
【００１６】
本明細書では、説明の便宜上、被写体側を「前」側、カメラ本体側を「後」側とする。また、特段の説明がない限り、「半径方向」とは、所定の軸（後述する軸Ｗ〜Ｚ）を中心とする半径方向を意味し、「周方向」とは、所定の軸を中心とする周方向を意味する。
【００１７】
図２は、レンズ鏡筒１の斜視図を示す。レンズ鏡筒１は、カメラ本体に着脱可能な交換レンズである。レンズ鏡筒１は、光軸Ｘを有している。レンズ鏡筒１の前端部には、汎用的なフィルタネジ（雌ネジ）１１が形成されている。フィルタネジ１１は、所謂、右ネジであって、雄ネジを時計回りに回転させると、雄ネジが奥へ進むようになっている。尚、レンズ鏡筒１は、交換レンズに限られるものではなく、カメラ本体に着脱不能に取り付けられたレンズ鏡筒であってもよい。
【００１８】
［２．中間リング］
図３は、中間リング２の斜視図を、図４は、中間リング２の正面図を、図５は、中間リング２の側面図を、図６は、中間リング２の背面図を、図７は、中間リング２を取り付けたレンズ鏡筒１の斜視図を示す。中間リング２は、樹脂製であって、図３に示すように、円環状の部材である。具体的には、中間リング２は、円筒状の本体部２１と、本体部２１の前端に設けられた前壁２２と、前壁２２から前方に突出する円筒部２３と、円筒部２３に設けられた２つの係合爪部２４と、本体部２１の後端に設けられた後壁２５（図５，６参照）と、後壁２５から後方に突出する円筒状の雄ネジ２６（図５，６参照）とを有している。
【００１９】
前壁２２は、図３，４に示すように、円環状の壁であって、本体部２１の中心軸Ｙに対して直交している。円筒部２３は、図３，５に示すように、中心軸Ｙを軸心とする円筒であって、前壁２２の内周縁から前方に延びている。係合爪部２４は、図３〜５に示すように、円筒部２３の前端縁から半径方向外方に突出するように設けられている。２つの係合爪部２４は、中心軸Ｙを挟んで対向する位置、即ち、互いに周方向に１８０°ずれた位置に配置されている。
【００２０】
後壁２５は、図６に示すように、円環状の壁であって、中心軸Ｙに対して直交している。後壁２５には、レンズ鏡筒１の前端面と当接する４つの当接部２５ａが設けられている。４つの当接部２５ａは、周方向に９０°ずつ間隔を開けて配置されている。雄ネジ２６は、レンズ鏡筒１のフィルタネジ１１に螺合する。雄ネジ２６は、取付部の一例である。
【００２１】
中間リング２は、雄ネジ２６をフィルタネジ１１に螺合させることによって、図７に示すように、レンズ鏡筒１の前端に取り付けられる。このとき、中間リング２の当接部２５ａがレンズ鏡筒１の前端面に当接しており、レンズ鏡筒１の光軸Ｘと中間リング２の中心軸Ｙとが一直線上に並んでいる。中間リング２がレンズ鏡筒１に取り付けられた状態においては、係合爪部２４が最も前方に位置している。
【００２２】
係合爪部２４の構成について、さらに詳しく説明する。係合爪部２４は、図５に示すように、厚み（中心軸方向の寸法）が略一定の板状の部材である。係合爪部２４は、図４に示すように、円筒部２３から外方に延びる２つの傾斜端面２４ａ，２４ｃと、２つの傾斜端面２４ａ，２４ｃの先端に連結された先端面２４ｂとを有し、略台形状をしている。傾斜端面２４ａ，２４ｃは、係合爪部２４の周方向寸法が半径方向外側に向かって小さくなるように、半径方向に対して傾斜している。先端面２４ｂは、本体部２１と同軸の円周の周方向に沿って延びている。係合爪部２４は、第１係合部の一例である。
【００２３】
［３．コンバージョンレンズ］
図８は、コンバージョンレンズ３の分解斜視図を、図９は、コンバージョンレンズ３の側面図を示す。コンバージョンレンズ３は、図８に示すように、レンズ枠４と、レンズ枠４に保持される第１〜第３レンズＬ１〜Ｌ３と、レンズ枠４に取り付けられるデコリング３１と、レンズ枠４にビス３２を介して取り付けられる後枠５とを有している。第１〜第３レンズＬ１〜Ｌ３は、光軸Ｚ上にこの順で前方から並んでおり、レンズ枠４の内方に配設されている。デコリング３１は、レンズ枠４の前端部に取り付けられている。後枠５は、図９に示すように、レンズ枠４に対して後ろから取り付けられている。コンバージョンレンズ３は、後枠５を介して中間リング２に取り付けられる。
【００２４】
［３−１．レンズ枠］
図１０は、レンズ枠４の側面図を、図１１は、レンズ枠４の背面図を示す。レンズ枠４は、図１０に示すように、円筒状であって外径が相対的に大きな大径部４１と、円筒状であって外径が相対的に小さな小径部４２と、大径部４１と小径部４２との間の段差部４３とを有している。大径部４１、小径部４２及び段差部４３は、同軸上に配置されている。段差部４３には、図１１に示すように、後方に開口する４つのネジ孔４３ａが設けられている。４つのネジ孔４３ａは、周方向に間隔を空けて配置されている。各ネジ孔４３ａの周方向両側には、後方に開口する位置決め孔４３ｂが設けられている。位置決め孔４３ｂは、断面が円形である。
【００２５】
［３−２．後枠］
図１２は、斜め前方からの後枠５の斜視図を、図１３は、斜め前方の別の角度からの後枠５の斜視図を、図１４は、斜め後方からの後枠５の斜視図を、図１５は、斜め後方の別の角度からの後枠５の斜視図を示す。後枠５は、樹脂製であって、円筒状の部材である。具体的には、後枠５は、円筒状の本体部５０と、本体部５０の後端縁に設けられた第１〜第４係合壁５１〜５４と、後枠５をレンズ枠４に取り付けるための取付壁５５と、中間リング２と係合して、コンバージョンレンズ３と中間リング２との光軸方向及び周方向への相対位置を位置決めする係合部５６と、中間リング２に対するコンバージョンレンズ３の相対回転を規制するストッパ５７と、コンバージョンレンズ３を中間リング２に取り付ける際にコンバージョンレンズ３と中間リング２との位置関係を規定する案内部５８と、コンバージョンレンズ３を中間リング２に取り付けたときに光軸方向において中間リング２と当接する当接部５０ａとを有している。本体部５０の内径は、中間リング２の２つの係合爪部２４の先端面２４ｂに接する円周の直径よりも大きい。
【００２６】
［３−２−１．取付壁］
取付壁５５は、本体部５０の内周面において、周方向に間隔を空けて４箇所に設けられている。取付壁５５は、本体部５０の光軸方向の概ね中央に設けられている。取付壁５５は、光軸Ｚに対して直交する壁であって、本体部５０の内周面から半径方向内側に突出して設けられている。各取付壁５５には、ビス３２が挿通される挿通孔５５ａが貫通形成されている。各挿通孔５５ａの周方向両側には、図１２，１３に示すように、前方に突出する位置決めピン５５ｂが設けられている。４つの挿通孔５５ａの配置は、レンズ枠４の４つのネジ孔４３ａの配置に対応している。また、４組の位置決めピン５５ｂの配置も、レンズ枠４の４組の位置決め孔４３ｂの配置に対応している。つまり、後枠５をレンズ枠４に取り付ける際には、４組の位置決めピン５５ｂが４組の位置決め孔４３ｂに嵌合するようにして取付壁５５を段差部４３に当接させる。その後、取付壁５５の挿通孔５５ａに挿通させたビス３２をネジ孔４３ａに螺合させることによって、取付壁５５を段差部４３にネジ締結する。こうして、後枠５がレンズ枠４に取り付けられる。
【００２７】
また、各取付壁５５に前記当接部５０ａが設けられている。すなわち、当接部５０ａは、４箇所に設けられている。当接部５０ａは、第１〜第４係合壁５１〜５４よりも後方に突出しており、後枠５の中で最も後方に位置する部分である。
【００２８】
［３−２−２．係合壁］
第１〜第４係合壁５１〜５４は、光軸に直交し且つ光軸を中心として円弧状に延びる壁である。第１〜第４係合壁５１〜５４は、本体部５０の内周面から半径方向内側に突出して設けられている。第１係合壁５１と第３係合壁５３とは、光軸を挟んで対向する位置、即ち、互いに周方向に１８０°ずれた位置に配置されている。また、第２係合壁５２と第４係合壁５４とは、光軸を挟んで対向する位置、即ち、互いに周方向に１８０°ずれた位置に配置されている。第２係合壁５２は、周方向において第１係合壁５１と第３係合壁５３との中間に設けられている。第４係合壁５４は、周方向において第３係合壁５３と第１係合壁５１との中間に設けられている。第１及び第３係合壁５１，５３は、第２及び第４係合壁５２，５４よりも周方向寸法が大きい。第１及び第３係合壁５１，５３は、第２係合部の一例であり、第２及び第４係合壁５２，５４は、第３係合部の一例である。
【００２９】
第１〜第４係合壁５１〜５４はそれぞれ、周方向の中央において、半径方向内側に突出する突起５１ａ〜５４ａを有している。突起５１ａ〜５４ａの先端は、光軸Ｚを中心とする１つの円周上に位置している。この円周の直径は、中間リング２の円筒部２３の外径と略一致しているか、僅かに大きい。
【００３０】
図１４，１５に示すように、周方向において、第１係合壁５１と第２係合壁５２との間には第１スペースＳ１が設けられ、第２係合壁５２と第３係合壁５３との間には第２スペースＳ２が設けられ、第３係合壁５３と第４係合壁５４との間には第３スペースＳ３が設けられ、第４係合壁５４と第１係合壁５１との間には第４スペースＳ４が設けられている。第１〜第４スペースＳ１〜Ｓ４はそれぞれ、中間リング２の係合爪部２４が光軸方向に通過できるだけの大きさを有している。尚、取付壁５５は、周方向において、第１〜第４係合壁５１〜５４と異なる位置に配置されている。
【００３１】
［３−２−３．係合部］
前記係合部５６は、中間リング２に対するコンバージョンレンズ３の光軸方向への相対移動を規制するスロープ６１と、コンバージョンレンズ３を中間リング２に取り付ける際に回転トルクを変動させると共に中間リング２に対するコンバージョンレンズ３の周方向への相対移動を規制する突出部６３とを有している。
【００３２】
［３−２−３−１．スロープ］
スロープ６１は、図１２，１３に示すように、第１及び第３係合壁５１，５３に設けられている。スロープ６１の構成は、第１係合壁５１と第３係合壁５３とで同様であるので、以下では、第１係合壁５１のスロープ６１についてのみ説明する。
【００３３】
スロープ６１は、詳しくは後述するが、コンバージョンレンズ３を中間リング２に取り付ける際に、中間リング２の係合爪部２４が乗り上げる部分である。スロープ６１は、第１係合壁５１の前面に、該前面よりも前方に膨出するようにして設けられている。第１坂部６１ａと、平坦部６１ｂと、第２坂部６１ｃとを有している。平坦部６１ｂは、第１係合壁５１の前面よりも光軸方向前方に位置し、光軸Ｚに対して直交している。平坦部６１ｂは、第１係合壁５１の周方向中央に設けられている。すなわち、第１係合壁５１において、平坦部６１ｂの周方向位置と突起５１ａの周方向位置とは、略一致している。第１坂部６１ａは、平坦部６１ｂの周方向一端縁から第１係合壁５１の前面へ向かって光軸Ｚに対して傾斜して延びている。第２坂部６１ｃは、平坦部６１ｂの周方向他端縁から第１係合壁５１の前面へ向かって光軸Ｚに対して傾斜して延びている。
【００３４】
［３−２−３−２．突出部］
突出部６３は、図１２に示すように、第１係合壁５１に設けられている。詳しくは後述するが、突出部６３は、コンバージョンレンズ３を中間リング２に取り付ける際に、中間リング２の係合爪部２４に当接する部分である。第１係合壁５１には、一対の突出部６３が設けられている。一対の突出部６３は、第１係合壁５１の前面において、スロープ６１の周方向両側に設けられている。各突出部６３は、本体部５０の内周面から半径方向内側に突出して設けられている。突出部６３は、第１係合壁５１の前面に略直交する少なくとも３つの端面を有している。詳しくは、突出部６３は、先端面６３ｂと、先端面６３ｂの両端から延びる２つの傾斜端面６３ａ，６３ｃとを有している。先端面６３ｂは、概ね周方向に沿って延びている。２つの突出部６３の先端面６３ｂは、光軸Ｚを中心とする１つの円周に接している。この円周の径は、中間リング２の２つの係合爪部２４の先端面２４ｂに接する円周の径よりも小さい。２つの傾斜端面６３ａ，６３ｃは、突出部６３の周方向寸法が半径方向内側に向かって徐々に小さくなるように、半径方向に対して傾斜している。２つの傾斜端面６３ａ，６３ｃのうち、スロープ６１側の傾斜端面６３ｃの、周方向に対する傾斜角度は、スロープ６１と反対側の傾斜端面６３ａよりも小さくなっている。以下、傾斜端面６３ａを外側傾斜端面６３ａと称し、傾斜端面６３ｃを内側傾斜端面６３ｃと称する。２つの突出部６３は、スロープ６１を通って半径方向に延びる直線に対して線対称な形状をしている。係合爪部２４と一対の突出部６３とは、コンバージョンレンズ３を中間リング２に取り付ける際の回転トルクを、前記周方向における、後述する取付位置の前後において大きく、該取付位置において小さくなるように変動させるトルク変動部を構成する。また、係合爪部２４と各突出部６３とは、コンバージョンレンズ３を中間リング２に取り付ける際の回転トルクを増大させるトルク増大部を構成する。
【００３５】
［３−２−４．ストッパ］
前記ストッパ５７は、図１２，１４に示すように、第２及び第４係合壁５２，５４に設けられている。ストッパ５７の構成は、第２係合壁５２と第４係合壁５４とで同様なので、以下では、第２係合壁５２におけるストッパ５７の構成についてのみ説明する。
【００３６】
詳しくは、第２係合壁５２の前面には、２つのストッパ５７が設けられている。２つのストッパ５７は、第２係合壁５２の周方向両端縁よりも周方向内側に入った位置に設けられている。つまり、第２係合壁５２は、ストッパ５７よりも周方向に突出している。ストッパ５７と前記係合爪部２４とで回り止め部を構成する。詳しくは後述するが、このストッパ５７に、中間リング２の係合爪部２４が当接する。
【００３７】
また、２つのストッパ５７は、案内部５８と一体的に形成されている。案内部５８は、ストッパ５７から半径方向内側へ延びた後、屈曲して、光軸方向後側へ延びている。案内部５８のうち光軸方向へ延びる先端部は、周方向に沿って湾曲している。案内部５８の先端部は、第２係合壁５２の突起５２ａと、間隙を介して対向している。
【００３８】
［３−２−５．コンバージョンレンズの後部の構成］
図１６は、コンバージョンレンズ３の背面図である。前述のように構成された後枠５がレンズ枠４に取り付けられた状態においては、第１〜第４係合壁５１〜５４がコンバージョンレンズ３の後部に位置している。周方向において、第１〜第４係合壁５１〜５４のそれぞれの間には、第１〜第４スペースＳ１〜Ｓ４が形成されている。これら第１〜第４スペースＳ１〜Ｓ４の前方には、取付壁５５が位置している。そのため、第１〜第４係合壁５１〜５４が取付壁５５よりも後方に位置しているにもかかわらず、ビス３２を挿通孔５５ａに挿通させたり、ビス３２をネジ孔４３ａに螺合させたりする作業を取付壁５５に対して後方から行うことができる。また、レンズ枠４の小径部４２は、後枠５の２つの案内部５８よりも内周側に位置し、図９に示すように、後枠５よりも後方に突出している。
【００３９】
［４．コンバージョンレンズの取り付け及び取り外し］
以下に、レンズ鏡筒１へのコンバージョンレンズ３の取り付け及び取り外しについて説明する。尚、以下では、レンズ鏡筒１に対して中間リング２又はコンバージョンレンズ３を動かす場合について説明する。ただし、これらの移動は相対的なものであって、レンズ鏡筒１を中間リング２又はコンバージョンレンズ３に対して動かしてもよいし、レンズ鏡筒１と中間リング２又はコンバージョンレンズ３との両方を動かしてもよい。
【００４０】
［４−１．中間リングの取り付け］
まず、中間リング２をレンズ鏡筒１に取り付ける。具体的には、中間リング２の雄ネジ２６をレンズ鏡筒１のフィルタネジ１１に螺合させる。フィルタネジ１１及び雄ネジ２６は右ネジであるので、光軸方向において後側を向いて見たとき（即ち、中間リング２からレンズ鏡筒１の方を向いてみたとき）に中間リング２を時計回りにねじ込んでいく。中間リング２がレンズ鏡筒１に取り付けられた状態においては、図７に示すように、中間リング２の係合爪部２４が前方に臨んでいる。
【００４１】
［４−２．コンバージョンレンズの取り付け］
続いて、コンバージョンレンズ３を、レンズ鏡筒１に取り付けられた状態の中間リング２に取り付ける。図１７〜２２に、コンバージョンレンズ３を中間リング２に取り付ける際の各段階における状態を示す。図１７は、中間リングの係合爪部をコンバージョンレンズ内に進入させたときの状態であり、図１８は、取り付け時に回転トルクが最も大きくなるときの状態であり、図１９は、係合爪部が取付位置に位置する状態であり、図２１は、取り外し時に回転トルクが最も大きくなったときの状態であり、図２２は、中間リングの係合爪部をコンバージョンレンズから抜き取る直前の状態である。尚、図１８（Ｃ），１９（Ｃ）においては、中間リング２と後枠５のみを図示している。図２０は、係合爪部が取付位置に位置する状態における係合爪部２４及び突出部６３の拡大図である。
【００４２】
まずは、図１７に示すように、後枠５の第１〜第４スペースＳ１〜Ｓ４と中間リング２の係合爪部２４との周方向位置を合わせ、係合爪部２４を第１〜第４スペースＳ１〜Ｓ４内に進入させる。
【００４３】
このとき、２つの係合爪部２４は、１８０°ずれた位置に配置され且つ、第１〜第４スペースＳ１〜Ｓ４のうち何れのスペースに対しても、１８０°ずれた位置には別のスペースが位置しているので、一方の係合爪部２４の周方向位置を第１〜第４スペースＳ１〜Ｓ４のうち何れ１つのスペースの周方向位置に合わせると、他方の係合爪部２４も第１〜第４スペースＳ１〜Ｓ４のうち何れかのスペースと周方向位置が一致した状態となる。
【００４４】
本実施形態では、２つの係合爪部２４をそれぞれ第２及び第４スペースＳ２，Ｓ４に合わせる。図１７（Ａ）に示すように、後枠５の外周面には、目印５９が設けられている。また、中間リング２の外周面には、それぞれ、進入位置、ロック位置、開放位置を表す目印２７ａ〜２７ｃが設けられている。例えば、後枠５の目印５９を中間リング２の目印２７ａに合わせることによって、２つの係合爪部２４をそれぞれ第２及び第４スペースＳ２，Ｓ４に合わせることができる。
【００４５】
第１〜第４スペースＳ１〜Ｓ４は、前述の如く、係合爪部２４が光軸方向に通過できるだけの大きさを有している。そのため、コンバージョンレンズ３を中間リング２に近接させると、係合爪部２４は、第２及び第４スペースＳ２，Ｓ４を光軸方向に通過する。すなわち、係合爪部２４は、第１〜第４係合壁５１〜５４を光軸方向に横切って、コンバージョンレンズ３の後枠５内に進入する。
【００４６】
このとき、コンバージョンレンズ３の後端、詳しくは、当接部５０ａが中間リング２の前壁２２に当接するまで、コンバージョンレンズ３を光軸方向に移動させる。コンバージョンレンズ３の後端が前壁２２に当接した状態においては、コンバージョンレンズ３が中間リング２の前方に位置するのに対し、第１〜第４係合壁５１〜５４が係合爪部２４よりも後方に位置するようになる。つまり、コンバージョンレンズ３と中間リング２との前後関係に対し、第１〜第４係合壁５１〜５４と係合爪部２４との前後関係が逆になる。このとき、係合爪部２４は、何れの部材とも当接していない。
【００４７】
また、係合爪部２４を後枠５内に進入させるときには、円筒部２３が、第２係合壁５２の突起５２ａと案内部５８との間の隙間、及び、第４係合壁５４の突起５４ａと案内部５８との間の隙間に進入する。案内部５８が設けられていることにより、係合爪部２４を後枠５内に進入させる際に、コンバージョンレンズ３の光軸Ｚが中間リング２の中心軸Ｙに対して大きく傾くことを防止することができる。
【００４８】
さらに、係合爪部２４を後枠５内に進入させるときには、後枠５の突起５１ａ〜５４ａが、中間リング２の円筒部２３の外周面に当接する。これにより、コンバージョンレンズ３の光軸Ｚが、中間リング２の中心軸Ｙ、ひいては、レンズ鏡筒１の光軸Ｘと一直線上に並ぶようになる。
【００４９】
次に、第１及び第３係合壁５１，５３が２つの係合爪部２４の前方へ移動するように、コンバージョンレンズ３を中間リング２に対して光軸Ｘ周りに相対的に回転させる。
【００５０】
詳しくは、前述の如く、２つの係合爪部２４を第２及び第４スペースＳ２，Ｓ４に合わせているので、コンバージョンレンズ３を光軸方向において後側を向いて見て時計回りに回転させる。このとき、後枠５の突起５１ａ〜５４ａと中間リング２の円筒部２３との当接が維持されているので、コンバージョンレンズ３は、光軸Ｚがレンズ鏡筒１の光軸Ｘと一致した状態で、該光軸Ｘ周りに回転する。
【００５１】
尚、２つの係合爪部２４を第１及び第３スペースＳ１，Ｓ３に合わせている場合には、コンバージョンレンズ３を光軸方向において後側を向いて見て反時計回りに回転させる。
【００５２】
その結果、第１及び第３係合壁５１，５３は、２つの係合爪部２４と前後に重なり始める。ここで、「前後に重なる」とは、複数の部材が前後方向に並ぶことを意味する。このとき、コンバージョンレンズ３の当接部５０ａが中間リング２の前壁２２に当接している状態であれば、第１及び第３係合壁５１，５３は、係合爪部２４とは当接しない。つまり、第１及び第３係合壁５１，５３は、前後方向において、２つの係合爪部２４との間に隙間を有している。換言すると、この状態においては、前記隙間の分だけ、コンバージョンレンズ３と中間リング２とは光軸方向に相対的に移動することができる。
【００５３】
コンバージョンレンズ３と中間リング２との相対回転を続けると、やがて、第１係合壁５１の突出部６３が係合爪部２４に当接する。詳しくは、突出部６３の外側傾斜端面６３ａが係合爪部２４の傾斜端面２４ａと先端面２４ｂとで形成される稜部に当接する。突出部６３と係合爪部２４とが当接した時点から、コンバージョンレンズ３と中間リング２との相対回転における回転トルクが増大し始める。
【００５４】
この状態から、さらにコンバージョンレンズ３と中間リング２との相対回転を続けると、後枠５の突起５３ａが中間リング２の円筒部２３に当接しているので、後枠５のうち該突出部６３の近傍が外方に拡がるように変形し、突出部６３の外側傾斜端面６３ａにおける係合爪部２４の前記稜部との当接位置が先端面６３ｂの方へ移動していく。この間、前記回転トルクは、徐々に増大していく。
【００５５】
やがて、図１８に示すように、突出部６３の先端面６３ｂが係合爪部２４の先端面２４ｂと当接する状態となる。尚、図１８では、後枠５が変形していない状態を図示しており、係合爪部２４と突出部６３とが重なり合っている。突出部６３の先端面６３ｂと係合爪部２４の先端面２４ｂとが当接する状態において、前記回転トルクは、略最大となる。
【００５６】
また、係合爪部２４の先端面２４ｂと突出部６３の先端面６３ｂとが当接し始めると、図１８（Ｃ）に示すように、スロープ６１は、係合爪部２４の後面と傾斜端面２４ａとで形成される稜部に当接するようになる。詳しくは、スロープ６１の第１坂部６１ａが該稜部に当接する。スロープ６１と係合爪部２４とが当接することによって、コンバージョンレンズ３と中間リング２と光軸方向の位置が規制され始める。やがて、スロープ６１の平坦部６１ｂと係合爪部２４の後面とが当接するようになる。スロープ６１の平坦部６１ｂと係合爪部２４とが当接、即ち、係合すると、コンバージョンレンズ３の中間リング２に対する前方への移動が規制される。このとき、後枠５の当接部５０ａが中間リング２の前壁２２に当接しているので、これにより、コンバージョンレンズ３の中間リング２に対する後方への移動が規制される。こうして、コンバージョンレンズ３の中間リング２に対する光軸方向の移動が規制される。
【００５７】
尚、スロープ６１は、第１係合壁５１だけでなく、第３係合壁５３にも設けられているので、第３係合壁５３においてもスロープ６１が係合爪部２４に係合するようになる。
【００５８】
コンバージョンレンズ３と中間リング２との相対回転をさらに続けると、突出部６３の先端面６３ｂが係合爪部２４の先端面２４ｂを通り過ぎ、突出部６３が係合爪部２４の傾斜端面２４ｃに当接するようになる。このとき、後枠５の前記変形が元に戻り始める。同時に、前記回転トルクも減少し始める。
【００５９】
図１９（Ａ）に示すように、目印５９が目印２７ｂと一致するところまでコンバージョンレンズ３を回転させると、図１９（Ｂ）に示すように、もう一方の突出部６３が係合爪部２４の傾斜端面２４ａに当接するようになる。その結果、係合爪部２４の傾斜端面２４ａに一方の突出部６３が当接し、係合爪部２４の傾斜端面２４ｃに他方の突出部６３が当接する状態となる。この状態において、コンバージョンレンズ３の中間リング２への取り付けが完了する。この位置が、取付位置である。取付位置においては、図１９（Ｃ）に示すように、係合爪部２４とスロープ６１の平坦部６１ｂとが当接し且つ後枠５の当接部５０ａと中間リング２の前壁２２とが当接した状態が継続しており、中間リング２に対するコンバージョンレンズ３の軸方向への移動が規制されている。
【００６０】
取付位置においては、図２０に示すように、一方の突出部６３の先端面６３ｂと内側傾斜端面６３ｃとの稜部が係合爪部２４の傾斜端面２４ｃに当接し、他方の突出部６３の先端面６３ｂと内側傾斜端面６３ｃとの稜部が係合爪部２４の傾斜端面２４ａに当接している。これにより、中間リング２に対するコンバージョンレンズ３の周方向への移動が規制される。
【００６１】
［４−３．コンバージョンレンズの取り外し］
次に、コンバージョンレンズ３を中間リング２から取り外すときには、コンバージョンレンズ３を取付位置から中間リング２に対して光軸Ｘ周りに相対的に回転させる。ここで、第１係合壁５１の周方向両側にそれぞれ第４及び第１スペースＳ４，Ｓ１が設けられ、第３係合壁５３の周方向両側にそれぞれに第２及び第３スペースＳ２，Ｓ３が設けられているので、コンバージョンレンズ３を中間リング２に対して周方向の何れに相対回転させても、コンバージョンレンズ３を取り外すことができる。以下では、コンバージョンレンズ３を光軸方向において後側を向いて見て時計回りに回転させて取り外す場合について説明する。
【００６２】
コンバージョンレンズ３を前述の如く時計回りに相対回転させると、回転方向前側に位置する突出部６３は、係合爪部２４から離間していき、回転方向後側に位置する突出部６３が係合爪部２４の傾斜端面２４ａ上を先端面２４ｂに向かって相対的に移動していく。このとき、後枠５のうち該回転方向後側の突出部６３の近傍が外方に拡がるように変形する。そのため、前記回転トルクは、徐々に増大していく。
【００６３】
やがて、図２１に示すように、突出部６３の先端面６３ｂと係合爪部２４の先端面２４ｂとが当接する状態となる。尚、図２１では、後枠５が変形していない状態を図示しており、係合爪部２４と突出部６３とが重なり合っている。突出部６３の先端面６３ｂと係合爪部２４の先端面２４ｂとが当接する状態において、前記回転トルクは、略最大となる。
【００６４】
さらにコンバージョンレンズ３と中間リング２との相対回転を続けると、突出部６３が係合爪部２４の先端面２４ｂと傾斜端面２４ｃとの稜部に当接するようになる。このとき、後枠５の前記変形が元に戻り始める。同時に、前記回転トルクも減少し始める。
【００６５】
さらにコンバージョンレンズ３と中間リング２との相対回転を続けると、回転方向後側の突出部６３も係合爪部２４から離間した状態となる。そうなると、前記回転トルクは、最小となる。
【００６６】
さらにコンバージョンレンズ３と中間リング２との相対回転を続けると、図２２に示すように、２つの係合爪部２４はそれぞれ、前後方向において第１及び第３係合壁５１，５３と重ならず、周方向において第１及び第３スペースＳ１，Ｓ３に位置するようになる。
【００６７】
その後、コンバージョンレンズ３と中間リング２とを光軸方向に離間させることによって、２つの係合爪部２４はそれぞれ、第１及び第３スペースＳ１，Ｓ３を通過して、第１及び第３係合壁５１，５３を横切り、コンバージョンレンズ３が中間リング２から取り外される。
【００６８】
尚、コンバージョンレンズ３を光軸方向において後側を向いて見て反時計回りに回転させて取り外す場合には、２つの係合爪部２４がそれぞれ第２及び第４スペースＳ２，Ｓ４を通過するようにして、コンバージョンレンズ３を中間リング２から取り外す。
【００６９】
［４−４．中間リングの取り外し］
最後に、中間リング２をレンズ鏡筒１から取り外す。具体的には、中間リング２を光軸方向において後側を向いて見て時計回りに回転させる。
【００７０】
尚、中間リング２は、コンバージョンレンズ３を利用してレンズ鏡筒１から取り外すこともできる。詳しくは、コンバージョンレンズ３を中間リング２から取り外すときに、コンバージョンレンズ３を光軸方向の前側から後側を向いて見て反時計回りに該コンバージョンレンズ３を回転させる。コンバージョンレンズ３を相対回転させていくと、第１及び第３係合壁５１，５３と２つの係合爪部２４との係合が解除され、第２及び第４スペースＳ２，Ｓ４が２つの係合爪部２４と前後方向に並ぶようになる。前述の説明では、この状態からコンバージョンレンズ３を光軸方向に引き抜くことによって、コンバージョンレンズ３を中間リング２から取り外す。しかし、中間リング２をレンズ鏡筒１から取り外す場合には、コンバージョンレンズ３の相対回転を継続させる。すると、コンバージョンレンズ３のストッパ５７が係合爪部２４に当接するようになる。ストッパ５７が係合爪部２４に当接しても、コンバージョンレンズ３の相対回転をさらに継続させると、コンバージョンレンズ３の回転トルクがストッパ５７及び係合爪部２４を介して中間リング２に伝わり、中間リング２を回転させることができる。レンズ鏡筒１の方を向かって反時計回りの回転方向は、中間リング２をレンズ鏡筒１から取り外すときの回転方向である。そのため、コンバージョンレンズ３の相対回転を継続することによって、中間リング２を回転させて、該中間リング２をレンズ鏡筒１から取り外すことができる。中間リング２は比較的薄い部材であるので、中間リング２を把持し難く、中間リング２に力を加え難い。それに対して、コンバージョンレンズ３は、光軸方向の寸法が比較的大きな部材であり、把持し易く、力を加え易い。そのため、コンバージョンレンズ３を利用して中間リング２をレンズ鏡筒１から取り外すことによって、中間リング２をレンズ鏡筒１から容易に取り外すことができる。
【００７１】
そして、中間リング２が最終的にレンズ鏡筒１から取り外されるときには、中間リング２がコンバージョンレンズ３に保持された状態となる。詳しくは、２つの係合爪部２４がストッパ５７に当接している状態においては、第２及び第４係合壁５２，５４が２つの係合爪部２４と前後方向に並んでいる。その結果、中間リング２がレンズ鏡筒１から取り外されても、第２及び第４係合壁５２，５４が２つの係合爪部２４と係合し、中間リング２はコンバージョンレンズ３から抜け出ないようになっている。こうして、中間リング２がコンバージョンレンズ３に保持されるので、中間リング２をレンズ鏡筒１から取り外した直後に中間リング２を落下させてしまうことを防止することができ、中間リング２の取扱いを容易にすることができる。
【００７２】
［５．レンズキャップ］
尚、前記の説明では、取り外し作業において、中間リング２をレンズ鏡筒１から取り外しているが、中間リング２をレンズ鏡筒１に取り付けたままでもよい。中間リング２はアダプタとして機能するため、前記係合爪部２４に適合する部材であれば、任意の光学部材を中間リング２を介してレンズ鏡筒１に取り付けることができる。そのため、コンバージョンレンズ３だけを取り外した場合であっても、中間リング２をレンズ鏡筒１に取り付けたままにしておく方が便利である。そして、中間リング２の形状及び大きさは、レンズ鏡筒１に取り付けられた状態においてレンズ鏡筒１の光学系に影響を与えない。そのため、中間リング２をレンズ鏡筒１に取り付けたままの状態であっても、通常通り、撮影を行うことができる。
【００７３】
こうして、中間リング２がレンズ鏡筒１に取り付けられたままの状態においては、それに応じたレンズキャップ７が装着される。図２３は、レンズキャップ７の斜視図であり、図２４は、別の角度から見た、レンズキャップ７の斜視図である。
【００７４】
レンズキャップ７は、円筒状の本体部７０と、本体部７０の内周面に設けられた第１及び第２係合壁７１，７２と、本体部７０の内周面に設けられた第１及び第２案内壁７３，７４と、中間リング２と係合して、レンズキャップ７と中間リング２との光軸方向及び周方向への相対位置を位置決めする係合部７５（図２５参照）と、本体部７０の前端縁に設けられた円盤状の前壁７６とを有する樹脂製の部材である。本体部７０の内径は、中間リング２の２つの係合爪部２４の先端面２４ｂに接する円周の直径よりも大きい。レンズキャップ７は、第１の部材の一例である。
【００７５】
［５−１．第１及び第２係合壁］
第１及び第２係合壁７１，７２は、光軸に直交し且つ光軸を中心として円弧状に延びる壁である。第１及び第２係合壁７１，７２は、本体部５０の内周面から半径方向内側に突出して設けられている。第１及び第２係合壁７１，７２は、光軸を挟んで対向する位置、即ち、互いに周方向に１８０°ずれた位置に配置されている。第１及び第２係合壁７１，７２はそれぞれ、周方向の中央において、半径方向内側に突出する突起７１ａ，７２ａを有している。突起７１ａ，７２ａの先端は、中心軸Ｗを中心とする１つの円周上に位置している。この円周の直径は、中間リング２の円筒部２３の外径と略一致している。第１係合壁７１には、前記係合部７５が設けられている。係合部７５の詳細については、後述する。第１及び第２係合壁７１，７２は、第２係合部の一例である。
【００７６】
［５−２．係合部］
前記係合部７５は、レンズキャップ７を中間リング２に取り付ける際に回転トルクを変動させると共に中間リング２に対するレンズキャップ７の周方向及び光軸方向への相対移動を規制する。さらに詳しくは、係合部７５は、図２４に示すように、一対の突出部７８を有している。詳しくは後述するが、突出部７８は、レンズキャップ７を中間リング２に取り付ける際に、中間リング２の係合爪部２４に当接する部分である。つまり、係合爪部２４と一対の突出部７８とは、レンズキャップ７を中間リング２に取り付ける際の回転トルクを、前記周方向における取付位置の前後において大きく、該取付位置において小さくなるように変動させるトルク変動部を構成する。また、係合爪部２４と各突出部７８とは、レンズキャップ７を中間リング２に取り付ける際の回転トルクを増大させるトルク増大部を構成する。一対の突出部７８は、第１係合壁７１の前面において、周方向に間隔を空けて設けられている。突出部７８は、第１係合壁７１の前面から前方に突出して設けられている。突出部７８は、略角錐台状に形成されている。すなわち、突出部７８は、第１係合壁７１の前面と平行な先端面７８ｂと、該先端面７８ｂの周方向両端縁から第１係合壁７１の前面に向かって、該前面に対して傾斜しながら延びる傾斜端面７８ａ，７８ｃとを有している（図２５参照）。２つの傾斜端面７８ａ，７８ｃのうち、第１係合壁７１の周方向端部側の傾斜端面７８ａを外側傾斜端面７８ａと称し、第１係合壁７１の周方向中央側の傾斜端面７８ｃを内側傾斜端面７８ｃと称する。２つの傾斜端面７８ａ，７８ｃは、突出部７８の周方向寸法が前方に向かって徐々に小さくなるように傾斜している。内側傾斜端面７８ｃの第１係合壁７１の前面に対する傾斜角度は、外側傾斜端面７８ａよりも大きい。２つの突出部７８は、第１係合壁７１の周方向中央を通って半径方向に延びる直線に対して線対称な形状をしている。
【００７７】
［５−３．第１及び第２案内壁］
第１及び第２案内壁７３，７４は、光軸を挟んで対向する位置、即ち、互いに周方向に１８０°ずれた位置に配置されている。第１案内壁７３は、周方向において第１係合壁７１と第２係合壁７２との間に設けられている。第２案内壁７４は、周方向において第２係合壁７２と第１係合壁７１との間に設けられている。
【００７８】
第１案内壁７３と第２案内壁７４とは同様の構成なので、第２案内壁７４の構成についてのみ説明する。第２案内壁７４は、図２３に示すように、中心軸Ｗと平行であって且つ、周方向に延びている。第２案内壁７４は、小径部７４ｂと、小径部７４ｂの周方向両側に位置する大径部７４ａ，７４ｃとを有している。小径部７４ｂには、半径方向内側に突出する突起７４ｄが設けられている。中心軸Ｗから小径部７４ｂまでの距離は、中間リング２の円筒部２３の外周面の半径と略一致している。大径部７４ａ，７４ｃは、中心軸Ｗを中心とする円周上に位置している。この円周の直径は、中間リング２の２つの係合爪部２４の先端面２４ｂに接する円周の直径と略一致している。
【００７９】
第１案内壁７３の小径部７３ｂ及び突起７３ｄと第２案内壁７４の小径部７４ｂ及び突起７４ｄとは、中心軸Ｗを挟んで対向する位置、即ち、互いに周方向に１８０°ずれた位置に配置されている。第１案内壁７３の小径部７３ｂは、周方向において第１係合壁７１と第２係合壁７２との中間に設けられている。第２案内壁７４の小径部７４ｂは、周方向において第２係合壁７２と第１係合壁７１との中間に設けられている。また、周方向において、第１係合壁７１と第１案内壁７３の小径部７３ｂとの間、第１案内壁７３の小径部７３ｂと第２係合壁７２との間、第２係合壁７２と第２案内壁７４の小径部７４ｂとの間、及び、第２案内壁７４の小径部７４ｂと第１係合壁７１との間にはそれぞれ、係合爪部２４が光軸方向に通過できる第５〜第８スペース（換言すれば、係合爪部２４が第１又は第２係合壁７１，７２を光軸方向に横切ることができるスペース）Ｓ５〜Ｓ８が確保されている。
【００８０】
［５−４．レンズキャップの取り付け及び取り外し］
以下に、中間リング２へのレンズキャップ７の取り付け及び取り外しについて説明する。尚、以下では、中間リング２に対してレンズキャップ７を動かす場合について説明する。ただし、その移動は相対的なものであって、中間リング２を（レンズ鏡筒１と共に）レンズキャップ７に対して動かしてもよいし、中間リング２とレンズキャップ７との両方を動かしてもよい。
【００８１】
［５−４−１．レンズキャップの取り付け］
レンズキャップ７を、レンズ鏡筒１に取り付けられた状態の中間リング２に取り付ける。図２５〜２７に、レンズキャップ７を中間リング２に取り付ける際の各段階における状態を示す。図２５は、中間リング２の係合爪部２４をレンズキャップ７内に進入させたときの状態であり、図２６は、取り付け時に回転トルクが最も大きくなったときの状態であり、図２７は、係合爪部２４が取付位置に位置する状態を示す図である。
【００８２】
まずは、図２５に示すように、中間リング２の２つの係合爪部２４が、第５〜第８スペースＳ５〜Ｓ８の何れかに位置するように、レンズキャップ７と中間リング２の周方向位置を合わせる。このとき、２つの係合爪部２４は、１８０°ずれた位置に配置され且つ、第５〜第８スペースＳ５〜Ｓ８のうち何れのスペースに対しても、１８０°ずれた位置には別のスペースが位置しているので、一方の係合爪部２４の周方向位置を第５〜第８スペースＳ５〜Ｓ８のうち何れ１つのスペースの周方向位置に合わせると、他方の係合爪部２４も第５〜第８スペースＳ５〜Ｓ８のうち何れかのスペースと周方向位置が一致した状態となる。ここでは、２つの係合爪部２４をそれぞれ第５及び第７スペースＳ５，Ｓ７に合わせる。
【００８３】
その後、レンズキャップ７を光軸方向に移動させて、係合爪部２４を第５及び第７スペースＳ５，Ｓ７内に進入させる。
【００８４】
第５〜第８スペースＳ５〜Ｓ８は、前述の如く、係合爪部２４が光軸方向に通過できるだけの大きさを有している。そのため、レンズキャップ７を中間リング２に近接させると、係合爪部２４は、第５及び第７スペースＳ５，Ｓ７を光軸方向に通過する。すなわち、係合爪部２４は、第１及び第２係合壁７１，７２を光軸方向に横切って、レンズキャップ７に進入する。
【００８５】
このとき、図２５（Ｂ）に示すように、レンズキャップ７の後端が中間リング２の前壁２２に当接するまで、レンズキャップ７を光軸方向に移動させる。レンズキャップ７の後端が前壁２２に当接した状態においては、レンズキャップ７が中間リング２の前方に位置するのに対し、第１及び第２係合壁７１，７２が係合爪部２４よりも後方に位置するようになる（図２５（Ｂ）では第１係合壁７１のみ図示）。つまり、レンズキャップ７と中間リング２との前後関係に対し、第１及び第２係合壁７１，７２と係合爪部２４との前後関係が逆になる。このとき、係合爪部２４は、何れの部材とも当接していない。
【００８６】
また、図２５（Ａ）に示すように、係合爪部２４をレンズキャップ７内に進入させるときには、レンズキャップ７の突起７１ａ，７２ａ，７３ｄ，７４ｄが、中間リング２の円筒部２３の外周面に当接する。これにより、レンズキャップ７の中心軸Ｗが、中間リング２の中心軸Ｙ、ひいては、レンズ鏡筒１の光軸Ｘと一直線上に並ぶようになる。
【００８７】
次に、第１及び第２係合壁７１，７２が２つの係合爪部２４の前方へ移動するように、レンズキャップ７を中間リング２に対して光軸Ｘ周りに相対的に回転させる。
【００８８】
詳しくは、前述の如く、２つの係合爪部２４を第５及び第７スペースＳ５，Ｓ７に合わせているので、レンズキャップ７を光軸方向において後側を向いて見て時計回りに回転させる。このとき、レンズキャップ７の突起７１ａ，７２ａ，７３ｄ，７４ｄと中間リング２の円筒部２３との当接が維持されているので、レンズキャップ７は、中心軸Ｗがレンズ鏡筒１の光軸Ｘと一致した状態で、該光軸Ｘ周りに回転する。
【００８９】
尚、２つの係合爪部２４を第６及び第８スペースＳ６，Ｓ８に合わせている場合には、レンズキャップ７を光軸方向において後側を向いて見て反時計回りに回転させる。
【００９０】
その結果、第１及び第２係合壁７１，７２は、２つの係合爪部２４と前後に重なり始める。このとき、レンズキャップ７の後端が中間リング２の前壁２２に当接している状態であれば、係合爪部２４は、第１及び第２係合壁７１，７２とは当接しない。２つの係合爪部２４はそれぞれ、前後方向において、第１及び第２係合壁７１，７２との間に隙間を有している。つまり、この状態においては、前記隙間の分だけ、レンズキャップ７と中間リング２とは光軸方向に相対的に移動することができる。
【００９１】
レンズキャップ７と中間リング２との相対回転を続けると、やがて、第１係合壁７１の突出部７８が係合爪部２４に当接する。詳しくは、突出部７８の外側傾斜端面７８ａが係合爪部２４に当接する。突出部７８と係合爪部２４とが当接した時点から、レンズキャップ７と中間リング２との相対回転における回転トルクが増大し始める。また、突出部７８と係合爪部２４とが当接することによって、レンズキャップ７と中間リング２と光軸方向の位置が規制され始める。
【００９２】
この状態から、さらにレンズキャップ７と中間リング２との相対回転を続けると、第１係合壁７１が前方に撓むように変形し、図２６に示すように、突出部７８の先端面７８ｂが係合爪部２４の後面と当接する状態となる。尚、図２６では、第１係合壁７１が変形していない状態を図示しており、係合爪部２４と突出部７８とが重なり合っている。この間、前記回転トルクは、徐々に増大していく。突出部７８の先端面７８ｂと係合爪部２４の後面とが当接する状態において、前記回転トルクは、略最大となる。
【００９３】
レンズキャップ７と中間リング２との相対回転をさらに続けると、突出部７８の内側傾斜端面７８ｃが係合爪部２４に当接するようになる。このとき、第１係合壁７１の前記変形が元に戻り始める。同時に、前記回転トルクも減少し始める。
【００９４】
その直後に、図２７に示すように、もう一方（回転方向後側）の突出部７８の内側傾斜端面７８ｃが係合爪部２４に当接するようになる。その結果、係合爪部２４は、周方向の両側から２つの突出部７８で挟み込まれた状態となる。この状態において、レンズキャップ７の中間リング２への取り付けが完了する。この位置が、取付位置である。この取付位置においては、突出部７８により周方向の移動が規制されているので、これにより、レンズキャップ７の中間リング２に対する周方向への移動が規制される。また、突出部７８は、係合爪部２４のうち傾斜端面と後面との稜部に当接しているので、係合爪部２４の周方向だけでなく、前方への移動も規制している。それに加えて、レンズキャップ７の後端が中間リング２の前壁２２に当接しているので、これにより、レンズキャップ７の中間リング２に対する後方への移動が規制される。こうして、レンズキャップ７の中間リング２に対する光軸方向の移動が規制される。
【００９５】
尚、第２係合壁７２と係合爪部２４との位置関係も、第１係合壁７１と係合爪部２４との位置関係と同様に変化する。すなわち、第１係合壁７１の２つの突出部７８が係合爪部２４に当接しているときには、第２係合壁７２においては、係合爪部２４が第２係合壁７２の周方向略中央に位置している。第２係合壁７２の前面における周方向中央には、該前面から前方に膨出する略角錐台状の膨出部７２ｂが設けられている。つまり、係合爪部２４は、膨出部７２ｂと当接している。これにより、係合爪部２４の前方への移動が規制される。
【００９６】
［５−４−２．レンズキャップの取り外し］
次に、レンズキャップ７を中間リング２から取り外すときには、レンズキャップ７を取付位置から中間リング２に対して光軸Ｘ周りに相対的に回転させる。ここで、第１係合壁７１の周方向両側にそれぞれ第８及び第５スペースＳ８，Ｓ５が設けられ、第２係合壁７２の周方向両側にそれぞれに第６及び第７スペースＳ６，Ｓ７が設けられているので、レンズキャップ７を中間リング２に対して周方向の何れに相対回転させても、レンズキャップ７を取り外すことができる。以下では、レンズキャップ７を光軸方向において後側を向いて見て時計回りに回転させて取り外す場合について説明する。
【００９７】
レンズキャップ７を前述の如く時計回りに相対回転させると、回転方向前側に位置する突出部７８は、係合爪部２４から離間していき、回転方向後側に位置する突出部７８の先端面７８ｂが係合爪部２４の後面と当接するようになる。このとき、第１係合壁７１が前方に撓むように変形する。そのため、前記回転トルクは、徐々に増大していく。
【００９８】
さらにレンズキャップ７と中間リング２との相対回転を続けると、突出部７８の外側傾斜端面７８ａが係合爪部２４に当接するようになる。このとき、第１係合壁７１の前記変形が元に戻り始める。同時に、前記回転トルクも減少し始める。
【００９９】
さらにレンズキャップ７と中間リング２との相対回転を続けると、回転方向後側の突出部７８も係合爪部２４から離間した状態となる。そうなると、前記回転トルクは、最小となる。
【０１００】
さらにレンズキャップ７と中間リング２との相対回転を続けると、係合爪部２４は、第１係合壁７１と前後方向に重ならない状態、即ち、周方向において第５スペースＳ５に位置するようになる。このとき、第２係合壁７２においても同様に、周方向において第７スペースＳ７に位置し、係合爪部２４は、第２係合壁７２と前後方向に重ならない状態になる。
【０１０１】
その後、レンズキャップ７と中間リング２とを光軸方向に離間させることによって、２つの係合爪部２４はそれぞれ、第５及び第７スペースＳ５，Ｓ７を通過して、第１及び第２係合壁７１，７２を横切り、レンズキャップ７が中間リング２から取り外される。
【０１０２】
尚、レンズキャップ７を光軸方向において後側を向いて見て反時計回りに回転させて取り外す場合には、２つの係合爪部２４がそれぞれ第８及び第６スペースＳ８，Ｓ６を通過するようにして、レンズキャップ７を中間リング２から取り外す。
【０１０３】
［６．効果］
前記取付構造は、コンバージョンレンズ３と中間リング２とを光軸Ｘ周りの周方向へ相対的に回転させて該コンバージョンレンズ３を該中間リング２に取り付けるものであって、中間リング２に設けられ、光軸Ｘを中心とする半径方向に突出する係合爪部２４と、コンバージョンレンズ３に設けられ、少なくとも前記周方向の所定の取付位置において係合爪部２４と係合して該コンバージョンレンズ３と該中間リング２との光軸方向への相対的な移動を規制する第１係合壁５１とを備え、コンバージョンレンズ３において、該第１係合壁５１の前記周方向両側には、係合爪部２４が該第１係合壁５１を光軸方向に横切ることができる第４及び第１スペースＳ４，Ｓ１が設けられており、コンバージョンレンズ３及び中間リング２には、該コンバージョンレンズ３と中間リング２との相対回転時のトルクを、前記周方向における前記取付位置の前後において大きく、該取付位置において小さくなるように変動させるトルク変動部としての係合爪部２４及び一対の突出部６３が設けられている。
【０１０４】
また、前記レンズユニットは、コンバージョンレンズ３と、中間リング２とを備え、コンバージョンレンズ３と中間リング２とを光軸Ｘ周りの周方向へ相対的に回転させて該コンバージョンレンズを該中間リングに取り付けるものであって、中間リング２に設けられ、光軸Ｘを中心とする半径方向に突出する係合爪部２４と、コンバージョンレンズ３に設けられ、少なくとも前記周方向の所定の取付位置において係合爪部２４と係合して該コンバージョンレンズ３と該中間リング２との光軸方向への相対的な移動を規制する第１係合壁５１とを備え、コンバージョンレンズ３において、該第１係合壁５１の前記周方向両側には、係合爪部２４が該第１係合壁５１を光軸方向に横切ることができる第４及び第１スペースＳ４，Ｓ１が設けられており、コンバージョンレンズ３及び中間リング２には、該コンバージョンレンズ３と中間リング２との相対回転時のトルクを、前記周方向における前記取付位置の前後において大きく、該取付位置において小さくなるように変動させるトルク変動部としての係合爪部２４及び一対の突出部６３が設けられている。
【０１０５】
前記構成によれば、コンバージョンレンズ３を中間リング２に取り付け及び取り外す際に、係合爪部２４は、周方向において相対的に、突出部６３、取付位置、突出部６３を順に通過する。このとき、コンバージョンレンズ３の回転トルクは、突出部６３の手前では小さく、突出部６３で増大し、取り付け位置で少し減少し、突出部６３で増大し、突出部６３を過ぎて減少する。すなわち、コンバージョンレンズ３を中間リング２に取り付け際には、ユーザは、回転トルクが小、大、小の順で変化することで係合爪部２４が突出部６３を通過して取付位置に到達したことを容易に感知することができる。さらには、取付位置を通過しようとすると、回転トルクが再び増大するので、取付位置を行き過ぎてしまうことを防止することができる。それに加えて、取付位置の前後で、回転トルクを大、小、大と変動させることによって、係合爪部２４が２つの突出部６３の間に嵌る感じ（以下、「クリック感」という）をユーザに与えることができる。その結果、ユーザは、係合爪部２４が取付位置に位置することを容易に感知することができる。また、取付位置を通過してしまっても、回転トルクが再び増大した後は減少に転じるので、中間リング２及びコンバージョンレンズ３に過度の回転トルクが作用することを防止することができ、ひいては、レンズ鏡筒１に過度の回転トルクが作用することを防止することができる。その結果、中間リング２及びコンバージョンレンズ３、ひいては、中間リング２が取り付けられているレンズ鏡筒１の破損を防止することができる。
【０１０６】
また、第１係合壁５１の周方向両側には、係合爪部２４が該第１係合壁５１を光軸方向に横切ることができる第４及び第１スペースＳ４，Ｓ１が設けられている。それに加え、回転トルクは、コンバージョンレンズ３を中間リング２に対して何れの向きに回転させた場合であっても、小、大、小、大、小の順で変動する。そのため、係合爪部２４をコンバージョンレンズ３内に進入させる際に第４スペースＳ４を通過させても、第１スペースＳ１を通過させても、回転方向を異ならせることによって係合爪部２４を取付位置に位置させることができる。要するに、コンバージョンレンズ３を何れの方向に回転させても、中間リング２に取り付けることができる。これは取り外し時も同様であり、コンバージョンレンズ３を何れの方向に回転させても、中間リング２から取り外すことができる。このとき、前記の係合爪部２４が取付位置に到達したことの感知、係合爪部２４が取付位置を行き過ぎてしまうことの防止、及び過度な回転トルクの発生の防止も、コンバージョンレンズ３の回転方向にかかわらず、実現することができる。その結果、コンバージョンレンズ３の取り付け及び取り外しの作業性を向上させることができる。
【０１０７】
また、取り付け位置の周方向両側に突出部６３を設けることによって、取付位置に位置する係合爪部２４の周方向への移動、即ち、コンバージョンレンズ３の相対回転を規制することができる。
【０１０８】
さらに、第１係合壁５１の周方向両側には、係合爪部２４が該第１係合壁５１を光軸方向に横切ることができる第４及び第１スペースＳ４，Ｓ１が設けられており、係合爪部２４は、周方向において第１スペースＳ１から第４スペースＳ４までの区間を移動可能に構成されているので、コンバージョンレンズ３を取り付ける際の回転方向と取り外すときの回転方向とを一致させることもできる。このことは、前記中間リング２に、光軸方向においてコンバージョンレンズ３と反対側に、前記周方向の一方側に回転させることによって該中間リング２をレンズ鏡筒１に取り付け、該周方向の他方側に回転させることによって該中間リング２をレンズ鏡筒１から取り外すための雄ネジ２６が設けられている場合に特に有利である。すなわち、コンバージョンレンズ３を中間リング２に取り付け及び取り外しするときには、コンバージョンレンズ３の回転トルクが中間リング２にも伝わる。このときの回転トルクが中間リング２をレンズ鏡筒１から取り外す方向に作用する場合には、中間リング２とレンズ鏡筒１との締結を緩めてしまう虞がある。それに対して、前記の構成によれば、コンバージョンレンズ３を一定の方向に回転させて取り付けと取り外しを行うことができるので、コンバージョンレンズ３の取り付け時及び取り外し時の回転方向を、中間リング２をレンズ鏡筒１に取り付ける際の回転方向と一致させておけば、コンバージョンレンズ３の取り付け及び取り外しを行う際に中間リング２とレンズ鏡筒１との締結を緩めてしまうことを防止することができる。
【０１０９】
尚、前記実施形態においては、周方向の一方側に回転させることによって該中間リング２をレンズ鏡筒１に取り付け、該周方向の他方側に回転させることによって該中間リング２をレンズ鏡筒１から取り外すための取付部として雄ネジ２６を採用しているが、これに限られるものではない。例えば、周方向の一方側に回転させることによって締め付けられ、他方側に回転させることによって緩められるバヨネット方式の取付部を採用してもよい。
【０１１０】
また、レンズ鏡筒１のフィルタネジ１１に螺合する雄ネジ２６を採用することによって、様々な種類のレンズ鏡筒１に中間リング２を取り付けることができる。つまり、フィルタネジ１１は、汎用的なネジであり、様々なレンズ鏡筒１に採用されている。そのため、前記取付構造を様々なレンズ鏡筒１に適用することができる。
【０１１１】
また、取付構造は、コンバージョンレンズ３と中間リング２とを光軸Ｘ周りの周方向へ相対的に回転させて該コンバージョンレンズ３を該中間リング２に取り付けるものであって、中間リング２に設けられ、光軸Ｘを中心とする半径方向に突出する係合爪部２４と、コンバージョンレンズ３に設けられ、少なくとも前記周方向の所定の取付位置において係合爪部２４と係合して該コンバージョンレンズ３と該中間リング２との光軸方向及び周方向への相対的な移動を規制する第１係合壁５１とを備え、コンバージョンレンズ３において、該第１係合壁５１の前記周方向両側には、係合爪部２４が該第１係合壁５１を光軸方向に横切ることができる第４及び第１スペースＳ４，Ｓ１が設けられている。
【０１１２】
この構成によれば、係合爪部２４をコンバージョンレンズ３内に進入させる際に第４スペースＳ４を通過させても、第１スペースＳ１を通過させても、回転方向を異ならせることによって係合爪部２４を取付位置に位置させることができる。要するに、コンバージョンレンズ３を何れの方向に回転させても、中間リング２に取り付けることができる。これは取り外し時も同様であり、コンバージョンレンズ３を何れの方向に回転させても、中間リング２から取り外すことができる。さらには、過度な回転トルクの発生の防止を防止することができる。
【０１１３】
さらに、中間リング２及びコンバージョンレンズ３には、コンバージョンレンズ３を前記周方向において中間リング２をレンズ鏡筒１から取り外すときと同じ側に回転させるときに該コンバージョンレンズ３の回転を規制する回り止め部としての係合爪部２４及びストッパ５７が設けられている。この構成によれば、コンバージョンレンズ３を回転させることによって、中間リング２も回転させることができ、中間リング２をレンズ鏡筒１から容易に取り外すことができる。
【０１１４】
また、コンバージョンレンズ３には、コンバージョンレンズ３の回転が係合爪部２４及びストッパ５７により規制された状態において、前記係合爪部２４と光軸方向に並んで、該コンバージョンレンズ３と中間リング２との光軸方向への相対的な移動を規制する第２及び第４係合壁５２，５４が設けられている。この構成によれば、コンバージョンレンズ３を介して中間リング２を回転させて、該中間リング２をレンズ鏡筒１から取り外すときに、中間リング２をコンバージョンレンズ３で保持することができ、中間リング２が落下することを防止することができる。
【０１１５】
さらに、中間リング２及びコンバージョンレンズ３には、コンバージョンレンズ３を前記周方向において中間リング２をレンズ鏡筒１に取り付けるときと同じ側に回転させるときに該コンバージョンレンズ３の回転を規制する回り止め部としての係合爪部２４及びストッパ５７が設けられている。この構成によれば、コンバージョンレンズ３を回転させることによって、中間リング２も回転させることができ、中間リング２をレンズ鏡筒１に容易に取り付けることができる。
【０１１６】
このように、中間リング２及びコンバージョンレンズ３には、前記係合爪部２４の前記周方向の相対移動を少なくとも前記第１係合壁５１と該第１係合壁５１の該周方向両側の前記第４及び第１スペースＳ４，Ｓ１とを含む範囲に規制する回り止め部としての係合爪部２４及びストッパ５７が設けられている。この構成によれば、コンバージョンレンズ３の回転トルクで、中間リング２の取り付け及び取り外しを補助することができる。
【０１１７】
さらにまた、回転トルクの変動を実現するにあたり、中間リング２の係合爪部２４を利用することによって、部品点数を削減することができると共に、取付構造の大型化を防止することができる。すなわち、係合爪部２４とは別に、中間リング２とコンバージョンレンズ３とのそれぞれに互いに係合し合うことで回転トルクを増大させる部分を設けることによって、回転トルクの変動を実現することもできる。それに対して、本来的には、中間リング２とコンバージョンレンズ３の軸方向の移動を規制するための部材である係合爪部２４を用いて、トルク変動を生じさせている。その結果、部品点数を削減することができる。ひいては、取付構造の大型化を防止することができる。
【０１１８】
また、後枠５のうち、周方向において２つの取付壁５５の間に突出部６３を設けることによって、回転トルクを円滑に変動させることができる。つまり、後枠５のうち、周方向において２つの取付壁５５の間の部分は、レンズ枠４に固定されていない部分であり、即ち、拘束されていない部分である。そのため、突出部６３が係合爪部２４に対して摺動する際には、後枠５のうち突出部６３を含む、その周辺部が半径方向に変形することができる。製造誤差や組付け誤差によっては、突出部６３が係合爪部２４に対して摺動する際の回転トルクが大きくなり過ぎて、コンバージョンレンズ３の相対回転を困難にしてしまう虞もある。それに対して、後枠５のうち突出部６３を含む、その周辺部が半径方向に変形することができると、後枠５の変形により過度の回転トルクを吸収することができる。その結果、回転トルクを円滑に変動させることができ、コンバージョンレンズ３の相対回転を円滑にすることができる。
【０１１９】
また、係合爪部２４と突出部６３とを当接させる際に、係合爪部２４のうち、光軸と略平行な端面（詳しくは、先端面６３ｂと２つの傾斜端面６３ａ，６３ｃ）に突出部６３を当接させている。係合爪部２４と突出部６３とを当接させて回転トルクを変動させる構成としては、中間リング２とレンズキャップ７との場合のように、係合爪部２４のうち、半径方向と略平行な端面（詳しくは、後面）に突出部７８を当接させる構成もある。前者は、係合爪部２４に対して突出部６３を半径方向に乗り上げさせる構成であり、後者は、係合爪部２４に対して突出部７８を光軸方向に乗り上げさせる構成である。ここで、前述のように、過度な回転トルクを後枠５の変形により吸収させる場合には、前者の構成では、後枠５を半径方向に変形させ、後者の構成では、後枠５を光軸方向に変形させることになる。後枠５は、概ね円筒状の部材であり、半径方向には容易に変形する。そのため、係合爪部２４に対して突出部６３を半径方向に乗り上げさせる構成とすることによって、後枠５の変形による過度な回転トルクの吸収を容易に実現することができる。
【０１２０】
さらに、取付位置において係合爪部２４と突出部６３とが当接するときには、一方の部材の面と、他方の部材の稜部とが当接するように構成することによって、クリック感を感じやすくさせることができる。具体的には、係合爪部２４の傾斜端面２４ａ，２４ｃに突出部６３の稜部が当接するようになっている。これにより、係合爪部２４が２つの突出部６３の間に嵌るクリック感を明確にすることができる。
【０１２１】
また、コンバージョンレンズ３と中間リング２を取り付ける構成において、第１及び第３係合壁５１，５３をコンバージョンレンズ３に設け、係合爪部２４を中間リング２に設けることにより、コンバージョンレンズ３の不使用時に中間リング２をレンズ鏡筒１に取り付けたままであっても、レンズ鏡筒１及び中間リング２の美感を向上させることができる。つまり、係合爪部２４は、第１及び第３係合壁５１，５３に比べて、形状が単純で且つ寸法が小さい。そのため、レンズ鏡筒１の前部において露出したとしても、レンズ鏡筒１の美感をあまり損ねない。その結果、コンバージョンレンズ３を装着しない場合であっても、中間リング２を取り付けたままでレンズ鏡筒１を使用することができる。
【０１２２】
さらに、中間リング２を取り付けたままでレンズ鏡筒１を使用することができると、コンバージョンレンズ３以外でも、中間リング２に着脱可能な部材であれば、任意の部材をレンズ鏡筒１に取り付けることができる。つまり、汎用性の高い取付構造を実現することができる。例えば、中間リング２を取り付けたままのレンズ鏡筒１にレンズキャップ７を取り付けることができる。
【０１２３】
詳しくは、レンズキャップ７の取付構造は、光軸Ｘ周りの周方向へ相対的に回転させて中間リング２に取り付けるものであって、少なくとも前記周方向の所定の取付位置において係合爪部２４と係合して該レンズキャップ７と該中間リング２との該軸方向への相対的な移動を規制する第１係合壁７１を備え、レンズキャップ７において、該第１係合壁７１の前記周方向両側には、係合爪部２４が該第１係合壁７１を光軸方向に横切ることができるスペースＳ５，Ｓ８が設けられており、レンズキャップ７及び中間リング２には、該レンズキャップ７と中間リング２との相対回転時のトルクを、前記周方向における前記取付位置の前後において大きく、該取付位置において小さくなるように変動させる一対の突出部７８が設けられている。
【０１２４】
前記の構成によれば、コンバージョンレンズ３を中間リング２に取り付ける場合と同様に、レンズキャップ７を取り付けるに際して中間リング２に過度な回転トルクを与えることを防止でき、レンズキャップ７をどちらの方向に回転させても取り付け及び取り外しができ、係合爪部２４が取付位置に位置することを容易に感知できる。
【０１２５】
さらに、コンバージョンレンズ３には、周方向において、第１スペースＳ１を挟んで第１係合壁５１と反対側に第２係合壁５２を設け、第４スペースＳ４を挟んで第１係合壁５１と反対側に第４係合壁５４を設け、係合爪部２４が第１スペースＳ１を行き過ぎて第２係合壁５２と前後に重なったときにコンバージョンレンズ３の回転を止め且つ係合爪部２４が第４スペースＳ４を行き過ぎて第４係合壁５４と前後に重なったときにコンバージョンレンズ３の回転を止めるようにストッパ５７を設けている。こうすることによって、係合爪部２４と第１係合壁５１との係合解除作業とコンバージョンレンズ３の光軸方向への抜き出し作業とを切り分けることができる。前記係合解除作業と抜き出し作業とを切り分けることによって、抜き出し作業時にはコンバージョンレンズ３を優しく回転させて、第１スペースＳ１と係合爪部２４との周方向位置を合わせることができる。係合解除作業においては、係合爪部２４が突出部６３を越える必要があるため、回転トルクが増大した後、減少する。そのため、係合爪部２４と第１係合壁５１とが前後に重ならない状態となるときには、コンバージョンレンズ３を勢いよく回転させている虞がある。そのため、係合爪部２４が第１及び第４スペースＳ１，Ｓ４に位置するようになったときに、係合爪部２４が後枠５から急に抜け出す虞がある。それに対し、ストッパ５７を設けることによってコンバージョンレンズ３の回転操作に終端を設定し且つ、その終端においては係合爪部２４が第２又は第４係合壁５２，５４と前後に重なるようにすることによって係合爪部２４が後枠５から抜け出すことを防止することができる。つまり、係合解除作業だけを完了させることができ、抜き出し作業においては回転トルクの変動が生じないようにすることができる。その結果、抜き出し作業時には、コンバージョンレンズ３を優しく回転させて、第１スペースＳ１と係合爪部２４との周方向位置を合わせることができる。その結果、ユーザが手を滑らせて、レンズ鏡筒１（カメラ本体を含む）やコンバージョンレンズ３等を落下させてしまうことを防止することができる。
【０１２６】
また、係合爪部２４と係合壁との組合せを複数設けることによって、中間リング２の中心軸Ｙとコンバージョンレンズ３の光軸Ｚとの傾きを抑制することができる。詳しくは、２つの係合爪部２４と第１及び第３係合壁５１，５３を設けている。それに加えて、係合爪部２４と係合壁との複数のセットを、周方向において等間隔に配置することによって、中間リング２の中心軸Ｙとコンバージョンレンズ３の光軸Ｚとの傾きをさらに抑制することができる。詳しくは、係合爪部２４と第１係合壁５１との組と、係合爪部２４と第３係合壁５３との組とを周方向に１８０°ずれた位置に配置している。
【０１２７】
さらに、トルク変動部６２を１つとすることによって、ユーザにクリック感を明確に感知させることができる。すなわち、トルク変動部６２が複数設けられている場合は、製造誤差や組付け誤差により、一のトルク変動部６２における取付位置と、別のトルク変動部６２における取付位置とが周方向にずれた場合は、周方向における複数の箇所でクリック感を生じさせてしまう。それに対し、トルク変動部６２が１つであれば、クリック感は必ず１度だけとなる。
【０１２８】
《その他の実施形態》
前記実施形態について、以下のような構成としてもよい。
【０１２９】
例えば、中間リング２に取り付けられる対象は、コンバージョンレンズ３やレンズキャップ７に限られない。例えば、フィルタ等の光学部品であってもよい。さらには、中間リング２が取り付けられる対象は、レンズ鏡筒１に限られない。さらには、前記取付構造は、カメラやレンズに限られるものではない。第１の部材を第２の部材に取り付ける取付構造である限りは、前記の構成を適用することができる。
【０１３０】
前記実施形態では、中間リング２に係合爪部２４が設けられ、コンバージョンレンズ３に第１及び第３係合壁５１，５３が設けられているが、これに限られるものではない。コンバージョンレンズ３に係合爪部２４が設けられ、中間リング２に第１及び第３係合壁５３が設けられていてもよい。また、係合爪部２４の個数、係合壁の個数も、前記実施形態に限られるものではない。係合爪部２４又は係合壁は、１つであってもよく、３つ以上であってもよい。
【０１３１】
前記実施形態では、突出部６３は、第１係合壁５１に設けられているが、これに限られるものではない。例えば、突出部６３は、第１係合壁５１とは無関係に設けられてもよい。すなわち、中間リング２に設けられた、係合爪部２４とは別の部材と係合することによって回転トルクを増大させる構成であってもよい。また、突出部６３は中間リング２に設けられる一方、コンバージョンレンズ３に設けられた特定の部分と係合することによって回転トルクを増大させる構成であってもよい。
【０１３２】
また、前記実施形態では、係合爪部２４を後枠５に進入させて回転させた後、回転トルクは小、大、小、大、小の順に変化するが、最初と最後の回転トルクが小さい領域は無くてもよい。すなわち、係合爪部２４を後枠５に進入させて回転させるときに、始めから回転トルクが大きく、取付位置においてのみ回転トルクが減少し、取付位置を通過した後も第１係合壁５１から離脱するまでは回転トルクが大きいままであってもよい。ただし、最初と最後の回転トルクが小さい領域がある方が、コンバージョンレンズ３の回転を円滑に行うことができる。
【０１３３】
また、トルクを変動させる際に、係合爪部２４の傾斜端面と、突出部６３の稜部とを当接させているが、これに限られるものではない。例えば、係合爪部２４の傾斜端面と突出部６３の傾斜端面とを当接させてもよいし、係合爪部２４の稜部と突出部６３の傾斜端面を当接させてもよいし、係合爪部２４の稜部と突出部６３の稜部とを当接させてもよい。
【０１３４】
また、トルク変動部６２は、１つではなく、複数設けられていてもよい。
【０１３５】
前記実施形態では、回転トルクを変動させる際に、後枠５が変形しているが、中間リング２が変形してもよいし、両方が変形してもよい。
【０１３６】
また、係合爪部２４を利用してトルクを変動させているが、係合爪部２４以外の部分を用いてトルク変動を実現してもよい。
【０１３７】
さらに、トルク変動部６２を用い、後枠５の弾性により回転トルク変動させているが、回転トルクを変動させる構成は、これに限られるものではない。第１の部材と第２の部材とを取り付ける際に、摺動する２つの部分の摺動抵抗を変動させることができる構成であれば、任意の構成を採用することができる。例えば、係合爪部２４に半径方向外方に開口する切欠部を設ける一方、後枠５の本体部５０の内周面に、半径方向内側に突出し該切欠部に嵌合する弾性体（板バネ等）を設けてもよい。すなわち、該弾性体が係合爪部２４の先端面２４ｂ上を摺動する際には、所定の弾性力に基づく回転トルクが発生し、該弾性体が該切欠部に嵌合することによって前記弾性力が小さくなり、その結果、回転トルクも減少する。取付位置において、弾性体が切欠部に嵌合するように設定しておく。その後、弾性体が切欠部から離脱すると、再び、弾性力が大きくなり、回転トルクも増大する。このような構成であっても、回転トルクを、取付位置の前後で大きく、取付位置において小さくなるように変動させることができる。
【０１３８】
また、前記実施形態では、取付位置において、係合爪部２４が２つの突出部６３に当接しているが、これに限られるものではない。例えば、２つの突出部６３の周方向間隔は、係合爪部２４の周方向寸法よりも大きく、係合爪部２４が２つの突出部６３の間で周方向に移動可能なスペースを有していてもよい。その場合、取付位置は、周方向に幅を有することになる。このような構成であっても、回転トルクを、取付位置の前後で大きく、取付位置において小さくなるように変動させることができる。また、この構成においては、係合爪部２４が取付位置に位置する際に、後枠５が変形していないため、後枠５の突起５１ａ〜５４ａを中間リング２の円筒部２３の外周面に確実に当接させることができる。それにより、コンバージョンレンズ３の光軸Ｚと中間リング２の中心軸Ｙとの軸ずれをより一層防止することができる。
【０１３９】
中間リング２は、レンズ鏡筒１にネジ締結されているが、これに限られるものではない。例えば、中間リング２は、レンズ鏡筒１にビス止めされる構造等であってもよい。かかる構成であっても、前記の構成を採用することによって、レンズ鏡筒１に伝達する回転負荷を抑制することができる。
【０１４０】
また、前記実施形態では、中間リング２及びコンバージョンレンズ３に両者の周方向の位置関係を合わせるための目印２７ａ〜２７ｃ，５９が設けられている。しかし、目印２７ａ〜２７ｃ，５９の形態は、前記実施形態のものに限られるものではない。例えば、前記目印２７ａ〜２７ｃは、文字で表されているが、矢印等の図形で表されていてもよい。図形であれば、目印を設けるスペースが小さい場合であっても挿入方向や回転方向を示すこともできる。また、図形であれば、何れの言語圏であっても、中間リング２及びコンバージョンレンズ３の位置関係を適切に示すことができる。尚、目印２７ａ〜２７ｃ，５９を設けない構成であってもよい。
【０１４１】
尚、以上の実施形態は、本質的に好ましい例示であって、本発明、その適用物、あるいはその用途の範囲を制限することを意図するものではない。
【産業上の利用可能性】
【０１４２】
以上説明したように、本発明は、第１の部材を第２の部材に取り付ける取付構造について有用である。
【符号の説明】
【０１４３】
１        レンズ鏡筒
１１      フィルタネジ
２        中間リング（第２の部材）
２４      係合爪部（第１係合部、トルク変動部、回り止め部）
２６      雄ネジ（取付部）
３        コンバージョンレンズ（第１の部材）
４        レンズ枠
５        後枠
５１      第１係合壁（第２係合部）
５２      第２係合壁（第３係合部）
５３      第３係合壁（第２係合部）
５４      第４係合壁（第３係合部）
５５      取付壁
５６      係合部
５７      ストッパ（回り止め部）
６１      スロープ
６３      突出部（トルク変動部）
７        レンズキャップ（第１の部材）
７１      第１係合壁（第２係合部）
７２      第２係合壁（第２係合部）
７５      係合部
７８      突出部（トルク変動部）
Ｓ１      第１スペース
Ｓ２      第２スペース
Ｓ３      第３スペース
Ｓ４      第４スペース
Ｓ５      第５スペース
Ｓ６      第６スペース
Ｓ７      第７スペース
Ｓ８      第８スペース
Ｗ        中心軸
Ｘ        光軸
Ｙ        中心軸
Ｚ        光軸
【図１】
2013217979.tif 000003
【図２】
2013217979.tif 000004
【図３】
2013217979.tif 000005
【図４】
2013217979.tif 000006
【図５】
2013217979.tif 000007
【図６】
2013217979.tif 000008
【図７】
2013217979.tif 000009
【図８】
2013217979.tif 000010
【図９】
2013217979.tif 000011
【図１０】
2013217979.tif 000012
【図１１】
2013217979.tif 000013
【図１２】
2013217979.tif 000014
【図１３】
2013217979.tif 000015
【図１４】
2013217979.tif 000016
【図１５】
2013217979.tif 000017
【図１６】
2013217979.tif 000018
【図１７】
2013217979.tif 000019
【図１８】
2013217979.tif 000020
【図１９】
2013217979.tif 000021
【図２０】
2013217979.tif 000022
【図２１】
2013217979.tif 000023
【図２２】
2013217979.tif 000024
【図２３】
2013217979.tif 000025
【図２４】
2013217979.tif 000026
【図２５】
2013217979.tif 000027
【図２６】
2013217979.tif 000028
【図２７】
2013217979.tif 000029